(57)【要約】【課題】固定部材が外装材及び下葺き材を貫通している貫通部の止水性を高めるとともに、屋根構造の重量の増加を抑えることが可能な構成を備えた屋根構造を提供する。【解決手段】本発明の屋根構造１は、外装材２と、下地層３，４と、外装材２と下地層３、４との間で下地層３、４に接するように配置される止水部５と、を備え、外装材２は、外装材２及び止水部５を貫通する固定部材６によって下地層３、４に固定されており、止水部５は、下地層３、４を部分的に覆うように配置されている、ことを特徴とする。【選択図】図１
2019056240.tif 000002
【特許請求の範囲】
【請求項１】
外装材と、下地層と、前記外装材と前記下地層との間で前記下地層に接するように配置される止水部と、を備え、
前記外装材は、該外装材及び前記止水部を貫通する固定部材によって前記下地層に固定されており、
前記止水部は、前記下地層を部分的に覆うように配置されている、ことを特徴とする屋根構造。
【請求項２】
前記下地層は、透湿性を有する透湿層を含む、請求項１に記載の屋根構造。
【請求項３】
前記下地層は、前記透湿層の下方に位置する野地板を有する、請求項２に記載の屋根構造。
【請求項４】
前記下地層は、防水性を有する防水層を含む、請求項１〜３の何れか一項に記載の屋根構造。
【請求項５】
前記止水部の合計の配設面積は、前記下地層全体の面積の５０％以下である、請求項１〜４の何れか一項に記載の屋根構造。
【請求項６】
前記止水部は、粘弾性体または弾性体からなる、請求項１〜５の何れか一項に記載の屋根構造。
【請求項７】
前記止水部は、前記外装材の下面に接着されている、請求項１〜６の何れか一項に記載の屋根構造。
【発明の詳細な説明】
【技術分野】
【０００１】
本発明は、屋根構造に関する。
【背景技術】
【０００２】
従来、住宅等の建物の屋根構造として、金属製屋根材、スレート瓦、セメント瓦、日本瓦等の屋根用外装材を、所謂ルーフィング材等の防水性を有する屋根用下葺き材を介して、野地板、垂木等の屋根下地材に釘、鋲、ビス、タッカー等により固定した屋根構造が知られている。
【０００３】
特許文献１には、外装材と野地板の間に配置する下葺き材として、上側ルーフィング層と、下側ルーフィング層と、上下のルーフィング層の間に挟まれた粘着材層とを有する三層構造の下葺き材の構成が開示されている。このような三層構造の下葺き材を用いることにより、外装材及び下葺き材を貫通して野地板に固定されるビスの貫通部においても、雨水や融雪水の浸入を防止する止水性能を発揮することができるものとされている。
【先行技術文献】
【特許文献】
【０００４】
【特許文献１】特開２００８−２０８６６７号公報
【発明の概要】
【発明が解決しようとする課題】
【０００５】
ところで、上記特許文献１の屋根構造においては、三層構造の下葺き材を、野地板の表面全体を覆うように敷設する構成とされている。すなわち、上側ルーフィング層、粘着材層、及び下側ルーフィング層の全ての層が野地板の表面積全体にわたって設けられているため、屋根全体としての重量が大きくなってしまうという問題がある。
【０００６】
それゆえ、本発明は、固定部材が外装材及び下葺き材を貫通している貫通部の止水性を高めるとともに、屋根構造の重量の増加を抑えることが可能な構成を備えた屋根構造を提供することを目的とする。
【課題を解決するための手段】
【０００７】
本発明は、上記課題を解決するためになされたものであり、本発明の屋根構造は、外装材と、下地層と、前記外装材と前記下地層との間で前記下地層に接するように配置される止水部と、を備え、
前記外装材は、該外装材及び前記止水部を貫通する固定部材によって前記下地層に固定されており、
前記止水部は、前記下地層を部分的に覆うように配置されていることを特徴とするものである。
【０００８】
なお、本発明の屋根構造にあっては、前記下地層は、透湿性を有する透湿層を含むことが好ましい。
【０００９】
また、本発明の屋根構造にあっては、前記下地層は、前記透湿層の下方に位置する野地板を有することが好ましい。
【００１０】
また、本発明の屋根構造にあっては、前記下地層は、防水性を有する防水層を含むことが好ましい。
【００１１】
また、本発明の屋根構造にあっては、前記止水部の合計の配設面積は、前記下地層全体の面積の５０％以下であることが好ましい。
【００１２】
また、本発明の屋根構造にあっては、前記止水部は、粘弾性体または弾性体からなることが好ましい。
【００１３】
また、本発明の屋根構造にあっては、前記止水部は、前記外装材の下面に接着されていることが好ましい。
【発明の効果】
【００１４】
本発明によれば、固定部材が外装材及び下葺き材を貫通している貫通部の止水性を高めるとともに、屋根構造の重量の増加を抑えることが可能な構成を備えた屋根構造を提供することができる。
【図面の簡単な説明】
【００１５】
【図１】本発明の一実施形態としての屋根構造を示す斜視図である。
【図２】図１の屋根構造における変形例を示す斜視図である。
【図３】本発明の他の実施形態としての屋根構造を示す斜視図である。
【図４】本発明のさらに他の実施形態としての屋根構造を示す斜視図である。
【発明を実施するための形態】
【００１６】
以下、本発明の一実施形態について、図面を参照して詳細に説明する。図１は、本発明の一実施形態としての屋根構造１を示している。屋根構造１は、鉄骨造の軸組みを有する工業化住宅や、木造住宅等の建物に設けることができる。なお、工業化住宅としては例えば、鉄筋コンクリート造の基礎と、柱や梁などの軸組部材で構成され、屋根構造１を支持する軸組架構を有し、基礎に固定された上部構造体と、で構成される。なお、軸組架構を構成する軸組部材は、予め規格化（標準化）されたものとすることができ、その場合、予め工場にて製造されたのち建築現場に搬入されて組み立てられる。
【００１７】
図１に示す屋根構造１は、外装材としての金属製屋根材２と、下地層としての野地板３及び透湿ルーフィング材４と、止水部としてのアスファルトルーフィング材５と、を備えている。固定部材としての釘６は、金属製屋根材２、アスファルトルーフィング材５、及び透湿ルーフィング材４を貫通して、野地板３に固定される。あるいは、釘６は、野地板３も貫通して野地板３の下方に位置する垂木（図示省略）に固定される。外装材を下地層に固定する固定部材は、釘６に限らず、鋲、ビス、タッカー等としてもよい。
【００１８】
野地板３は、構造用合板等により形成された板材であり、例えば建物の軸組架構における外周梁、母屋梁及び棟梁等に架け渡された垂木によって支持される。なお、下地層を構成する野地板３の材質、及び厚さ等は特に限定されるものではない。
【００１９】
金属製屋根材２は、平面視矩形に形成された板状の屋根葺き材である。本例では、複数の金属製屋根材２が、嵌合部７によって連結されて屋根面全体を構成している。嵌合部７は、一方側の縁部に沿って設けられた突状の下嵌合部７ａと、他方側の縁部に沿って設けられた突状の上嵌合部７ｂとで構成され、一の金属製屋根材２の下嵌合部７ａに、他の金属製屋根材２の上嵌合部７ｂを重ね合わせて押し込むようにして嵌合させることにより、金属製屋根材２同士が連結される構成となっている。上嵌合部７ｂは、下嵌合部７ａよりも僅かに大きく形成されており、弾性変形することにより、下嵌合部７ａに対して着脱自在に嵌合して抜け止め保持される。なお、釘６は、金属製屋根材２が上下に重なる領域に配置され、下側の金属製屋根材２を貫通する釘６は、上方から他の金属製屋根材２に覆われることとなる。このため、釘６は、嵌合部７の近傍に配置されている。釘６及び貫通部８を金属製屋根材２で上方（外側）から覆うことにより、貫通部８に雨水等が入り込み難くなり、防水性をさらに高めることができる。
【００２０】
透湿ルーフィング材４は、野地板３の全体を覆うように配置されている。透湿ルーフィング材４は、透湿性を有する透湿層を構成している。これにより、透湿ルーフィング材４は、野地板３側の湿気を金属製屋根材２側に透過させることができる。このような排湿機能により、野地板３の乾燥を促して、耐久性を高めることができる。
【００２１】
ここで、透湿ルーフィング材４は、ＪＩＳ−Ａ６１１１基準に基づいて測定した透湿抵抗が、０．３ｍ2・ｓ・Ｐａ/μｇ以下であることが好ましく、より好適には０．２ｍ2・ｓ・Ｐａ/μｇ以下であることが望ましい。これによれば、野地板３の乾燥促進効果を高めることができる。
【００２２】
透湿ルーフィング材４は、さらに、防水性を有する防水層を構成している。すなわち、透湿ルーフィング材４は、透湿層と防水層とを兼ねており、湿気は通すが水は通さないように構成されている。例えば、旭・デュポン フラッシュスパン プロダクツ株式会社製の透湿ルーフィング材「タイベック（登録商標）」を用いることができる。これにより、金属製屋根材２側から雨水等の水が透湿ルーフィング材４を通して野地板３側へ浸入することを防止することができる。
【００２３】
アスファルトルーフィング材５は、所定の釘穴止水性（シーリング性）を有する止水部を構成する。なお、止水部としては、釘６が透湿ルーフィング材４を貫通する貫通部８の止水性を高めるものであれば、材質及び厚さ等は特に限定されるものではない。例えば、パッチ状、テープ状、シート状等の改質アスファルトルーフィング材、あるいは、ブチルテープ、EPDMゴムシート等のシーリング部材としてもよい。
【００２４】
また、止水部は、アスファルト、改質アスファルト、EPDM及びブチル等の、粘弾性体または弾性体からなることが好ましい。これによれば、粘弾性体または弾性体の持つ粘弾性力または弾性力により、止水部を貫通する釘６の側面等に密着してより高い止水性を発揮させることができる。
【００２５】
このように、透湿ルーフィング材４の貫通部８における釘穴止水性を、このような止水部（本例では、アスファルトルーフィング材５）により補うことで、屋根構造１全体としての防水性を高めることができる。本例のアスファルトルーフィング材５は、下地層を構成する透湿ルーフィング材４に接した状態で配置される。このように、アスファルトルーフィング材５を透湿ルーフィング材４に接触させることで、透湿ルーフィング材４とアスファルトルーフィング材５との間に、水が通過する隙間が形成され難くなり、貫通部８における止水性をより確実に高めることができる。
【００２６】
また、アスファルトルーフィング材５は、下地層（透湿ルーフィング材４及び野地板３）を部分的に覆うように配置されている。より詳細には、本例のアスファルトルーフィング材５は、平面視で円形のパッチ部材として構成されており、釘６が貫通する貫通部８を中心とする所定の範囲を覆うように、１つの貫通部８に対して１つのアスファルトルーフィング材５が配置されている。
【００２７】
このように、それぞれの貫通部８に１つのアスファルトルーフィング材５を配置する構成により、各アスファルトルーフィング材５の大きさを小さくすることができ、屋根構造１全体としての重量増加をより低減することができる。
【００２８】
また、アスファルトルーフィング材５で覆った領域は、透湿ルーフィング材４による透湿作用が低減してしまうため、本例のように、アスファルトルーフィング材５が透湿ルーフィング材４を覆う面積を小さくすることで、透湿ルーフィング材４による透湿作用をより効果的に発揮させることができる。また、コストダウンにもつながる。
【００２９】
ここで、屋根構造１全体におけるアスファルトルーフィング材５の合計の配設面積は、野地板３の全体の面積の５０％以下であることが好ましく、これによれば、屋根構造１の重量増加の低減をより高い精度で抑制し、透湿作用をより効果的に発揮させることができる。同様の観点から、アスファルトルーフィング材５の合計の配設面積は、野地板３の全体の面積の１５％以下であることがより望ましい。また、貫通部８を止水部で確実に覆う観点から、アスファルトルーフィング材５の合計の配設面積は、野地板３の全体の面積の１％以上であることが好ましい。
【００３０】
本例において、アスファルトルーフィング材５は、金属製屋根材２の下面（裏面）に接着されることが好ましい。金属製屋根材２には、貫通部８の位置に予め貫通孔２ａが形成されているため、この位置に合わせてアスファルトルーフィング材５を接着することにより、貫通部８の位置に合わせてアスファルトルーフィング材５を高精度で配置することができる。なお、アスファルトルーフィング材５は、透湿ルーフィング材４に接着してもよいし、特に接着せずに金属製屋根材２と透湿ルーフィング材４との間に配置してもよい。
【００３１】
図２は、図１に示す屋根構造１の変形例としての屋根構造２０を示している。本例では、止水部を、平面視で円形ではなく、平面視で矩形となる帯状のアスファルトルーフィング材１５で構成したものである。なお、止水部以外の構成は屋根構造１０と同一であるため説明を省略する。
【００３２】
本例のアスファルトルーフィング材１５は、一直線状に間隔を空けて配置された複数箇所の貫通部８をまとめて覆うように、嵌合部７に沿って配置されている。このような構成により、複数箇所の貫通部８を、１つのアスファルトルーフィング材１５で覆うことができるので、アスファルトルーフィング材１５を配置する際の作業効率を高めることができる。また、アスファルトルーフィング材１５の配設範囲を大きくしたことで、貫通部８に対する位置ずれの虞が低減できる。
【００３３】
なお、本例においても、アスファルトルーフィング材１５は、金属製屋根材２の下面（裏面）に接着することが好ましい。これによれば、アスファルトルーフィング材１５の貫通部８に対する位置ずれを防止しつつ、作業効率も高めることができる。
【００３４】
図３は、外装材としてスレート瓦１２を用いる屋根構造３０を示している。スレート瓦１２は、下側のスレート瓦１２の上半分に上側のスレート瓦１２が重なるように、且つ、その位置が幅方向（左右方向）に半分だけずれるように千鳥状に配置されている。また左右方向に隣接するスレート瓦１２は重ならず端面を突き合わせた状態で並べて配置されている。なお、本例においても、釘６及び貫通部８は上側のスレート瓦１２によって上方（外側）から覆われている。
【００３５】
本例においては、透湿ルーフィング材４とスレート瓦１２の間に、平面視で円形状のパッチ部材であるアスファルトルーフィング材５が配置されている。また、アスファルトルーフィング材５は、貫通部８を構成する貫通孔１２ａの位置に合わせて、スレート瓦１２の下面に接着されている。止水部を、図２に示すアスファルトルーフィング材１５のような帯状の部材で構成してもよい。
【００３６】
本例においても、先の実施形態と同様に、止水部による屋根構造３０の重量増加を抑える効果と、透湿ルーフィング材４による透湿作用をより効果的に発揮させる効果との両立を図ることができる。
【００３７】
図４は、外装材として桟木９及び粘土瓦２２（日本瓦）を用いる屋根構造４０を示している。下地層としての野地板３及び透湿ルーフィング材４の構成は先の実施形態と同様である。透湿ルーフィング材４の上方に、桟木９が釘６によって固定され、桟木９と透湿ルーフィング材４との間に、帯状のアスファルトルーフィング材２５が配置されている。また、透湿ルーフィング材４と桟木９の上方に粘土瓦２２が配置され、粘土瓦２２を貫通する釘１６が、粘土瓦２２を桟木９に固定している。下側の粘土瓦２２を固定する釘１６は、上側の粘土瓦２２によって、上方から覆われている。
【００３８】
粘土瓦２２は、下側の粘土瓦２２の一部に、上側の粘土瓦２２が重なるように、且つ、その位置が幅方向（左右方向）の半分だけずれるように千鳥状に配置されている。また粘土瓦２２は左右方向には重ならないように並べて配置されている。なお、本例においても、釘６及び貫通部８は粘土瓦２２によって上方（外側）から覆われている。
【００３９】
桟木９の下面には、雨水等を通過させるための溝９ａが設けられている。溝９ａは桟木９の長手方向に沿って、間隔を空けて複数箇所に設けられている。溝９ａの有無に関わらず、桟木９の下面全体にわたって帯状のアスファルトルーフィング材２５を配置することができる。これによれば、桟木９の下面にアスファルトルーフィング材２５を配置する作業が容易となる。なお、溝９ａの領域を避けながら、帯状のアスファルトルーフィング材２５を、透湿ルーフィング材４と桟木９の間に配置してもよく、この場合、よりスムーズに雨水等が溝９ａを通過する。桟木９には、貫通孔９ｂが形成されており、当該貫通孔９ｂを覆うように、桟木９の下面にアスファルトルーフィング材２５を接着することが好ましい。これによれば、桟木９を設置する際に確実に桟木９下面にアスファルトルーフィング材２５が配置され、作業効率も高めることができる。
【００４０】
本例においても、先の実施形態と同様に、止水部による屋根構造４０の重量増加を抑える効果と、透湿ルーフィング材４による透湿作用をより効果的に発揮させる効果との両立を図ることができる。
【００４１】
本発明に係る建物は、上述した実施形態の構成に限定されるものではなく、特許請求の範囲で記載された内容を逸脱しない範囲で、様々な構成により実現することが可能である。例えば、透湿ルーフィング材４に代えて、透湿性を有しない他のルーフィング材を野地板３の上に配置してもよい。
【符号の説明】
【００４２】
１、２０、３０、４０：屋根構造
２：金属製屋根材（外装材）
２ａ：貫通孔
３：野地板（下地層）
４：透湿ルーフィング材（下地層）
５、１５、２５：アスファルトルーフィング材（止水部）
６、１６：釘（固定部材）
７：嵌合部
７ａ：下嵌合部
７ｂ：上嵌合部
８：貫通部
９：桟木（外装材）
９ａ：溝
９ｂ：貫通孔
１２：スレート瓦（外装材）
２２：粘土瓦（外装材）
【図１】
2019056240.tif 000003
【図２】
2019056240.tif 000004
【図３】
2019056240.tif 000005
【図４】
2019056240.tif 000006